(57)【特許請求の範囲】
【請求項１】
メータ基板の上面に組み付けられる表示パネルと、該表示パネルを囲繞して内側に収納する孔形状に形成された表示パネル収納部を有するメータケースと、を備え、前記表示パネルと前記メータ基板を接続する接続ケーブルを保護する表示パネル用接続ケーブルの保護構造であって、
前記メータケースは、前記表示パネル収納部に、前記メータ基板に向けて突出形成され、前記接続ケーブルの移動及び振れを規制する接続ケーブル用保護押圧部を有することを特徴とする表示パネル用接続ケーブルの保護構造。
【請求項２】
前記接続ケーブルが、フレキシブルフラットケーブルまたはフレキシブル印刷回路体であることを特徴とする請求項１に記載した表示パネル用接続ケーブルの保護構造。
【請求項３】
表示パネルと、該表示パネルを収容する表示パネル収納部を有し前記表示パネルの上面に配置されるメータケースと、前記表示パネルが上面に組み付けられるメータ基板と、前記表示パネル側に設けられた接続ケーブルと、前記メータ基板上に設けられたコネクタと、を備える車両用計器の組付方法であって、
前記メータケースは、前記表示パネル収納部に、前記メータ基板に向けて突出形成され、前記接続ケーブルの移動及び振れを規制する接続ケーブル用保護押圧部を備え、該接続ケーブルを前記コネクタに嵌合後、前記メータ基板が前記メータケースに組み付けられることで、前記保護押圧部が前記接続ケーブルの動きを規制することを特徴とする車両用計器の組付方法。
【発明の詳細な説明】
【技術分野】
【０００１】
本発明は、例えば車両の計器に取付ける表示パネル（液晶モニタや液晶ディスプレイ等のＬＣＤ（Liquid Crystal Display）、ＥＬディスプレイ）に接続されたＦＰＣ（Flexible Printed Circuit）またはＦＦＣ（Flexible Flat Cable）を保護する表示パネル用接続ケーブルの保護構造及び車両用計器の組付方法に関する。
【背景技術】
【０００２】
従来の表示パネル用接続ケーブルの保護構造の一例として、ＦＰＣ又はＦＦＣ（以下、単にＦＰＣと云う。）が接続された液晶パネルをホルダに載置し、このホルダをプリント基板に装着し、ＦＰＣをプリント基板に半田付けしたものが知られている（例えば、特許文献１参照）。
【特許文献１】特開２００２−２９６６１４号公報
【発明の開示】
【発明が解決しようとする課題】
【０００３】
ところが、上記特許文献１のような構造においては、外力によりＦＰＣが傷付けられる等の問題があった。
【０００４】
上記問題の解消構造としては、図４及び図５に示すように、ＦＰＣを支持しておくようにした表示パネル用接続ケーブルの保護構造が考えられる。このような表示パネル用接続ケーブルの保護構造は、光源５１が実装された基板５２上にリフレクタ５３が組み付けられ、このリフレクタ５３上に表示パネル５４が載置され、表示パネル５４を挟んでベゼル５５がリフレクタ５３に組み付けられる。そして、ベゼル５５の側部に突出されている突片５６によって基板５２側に押えられているＦＰＣ５７の端部のコネクタ５８が、基板５２上の不図示のコネクタに装着される。この突片５６により、ＦＰＣ５７に外力がかからず、又突片５６でＦＰＣ５７を押え付けることにより、ＦＰＣ５７の動きが規制され、不図示のメータケースとの擦れによるＦＰＣ５７の傷付きを防止することができる。
【０００５】
このような表示パネル用接続ケーブルの保護構造では、通常、表示パネル５４の装着において、リフレクタ５３及び基板５２に対して位置ずれを起こさないようにするために、表示パネル５４に応力をかけないようにしてリフレクタ５３とベゼル５５とを介して表示パネル５４を基板５２に組み付けた後に、ＦＰＣ５７の基板５２への接続を行う。そして、表示パネル５４が組み付けられた基板５２を不図示のメータケースに設けられた表示パネル収納部に装着するようにしている。
【０００６】
しかし、突片５６がベゼル５５に設けられているために、基板５２に組み付けられたベゼル５５をメータケースの表示パネル収納部に対して位置合せがし難いばかりか、表示パネル５４が基板５２に組み付けられた状態で、表示パネル５４から延出しているＦＰＣ５７のコネクタ５８を基板５２に接続しなければならない。その時、ベゼル５５の突片５６によってＦＰＣ５７が基板５２側に押し付けられていて、ＦＰＣ５７のコネクタ５８とベゼル５５の突片５６との間が小さいスペースＬ１になっているために、コネクタ５８の装着スペースに余裕がないので、コネクタ５８の装着を確実に行えず、ＦＰＣ５７に捩れや折れが生じて基板５２側のコネクタを破損したり、コネクタの不完全嵌合によりコネクタ内の端子の電気的な接続が不完全になったりすることがある。
【０００７】
本発明は、上述した事情に鑑みてなされたものであり、その目的は、表示パネルの位置合わせをし易くするとともに接続ケーブルをメータ基板に確実に接続できるようにすることで作業効率を向上させることができる表示パネル用接続ケーブルの保護構造及び車両用計器の組付方法を提供することにある。
【課題を解決するための手段】
【０００８】
１）本発明に係る表示パネル用接続ケーブルの保護構造は、メータ基板の上面に組み付けられる表示パネルと、該表示パネルを囲繞して内側に収納する孔形状に形成された表示パネル収納部を有するメータケースと、を備え、前記表示パネルと前記メータ基板を接続する接続ケーブルを保護する表示パネル用接続ケーブルの保護構造であって、
前記メータケースは、前記表示パネル収納部に、前記メータ基板に向けて突出形成され、前記接続ケーブルの移動及び振れを規制する接続ケーブル用保護押圧部を有することを特徴としている。
【０００９】
前記１）に記載の発明によれば、接続ケーブル用保護押圧部がメータケースに有するために、メータケースに対して位置合せがし易くなる。また、表示パネルから延出している接続ケーブルをメータ基板に接続する際に障害物がないので、コネクタの装着スペースが大きくなる。その結果、接続ケーブルのメータ基板への接続を確実に行うことができる。そして、障害物がなく自由度が大きいスペースを使って接続ケーブルがメータ基板に接続されるために、接続ケーブルをメータ基板に確実に接続することができる。その後に、メータ基板がメータケースに組み付けられることで、接続ケーブル用保護押圧部が接続ケーブルをメータ基板側に押圧して接続ケーブルを保護することができる。従って、表示パネルの位置合わせをし易くするとともに接続ケーブルをメータ基板に確実に接続できるようにすることで作業効率を向上させることができる。
【００１１】
また、前記１）に記載の発明によれば、接続ケーブル用保護押圧部がメータケースの表示パネル収納部にメータ基板に向けて突出して形成されているために、メータ基板をメータケースに組み付ける際に、接続ケーブルをメータ基板側に押圧支持することで、メータケースの前方に跳ね上がったり、表示パネル収納部に挟まったり、折れ曲がったりすることなく接続ケーブルを保護することができる。
【００１２】
２）本発明に係る表示パネル用接続ケーブルの保護構造は、上記１）に記載した表示パネル用接続ケーブルの保護構造において、前記接続ケーブルが、フレキシブルフラットケーブルまたはフレキシブル印刷回路体であることを特徴としている。
【００１３】
前記２）に記載の発明によれば、弾性力の大きなフレキシブルフラットケーブルまたはフレキシブル印刷回路体に本保護構造を適用することにより、更に効果は高まる。
【００１４】
３）本発明に係る車両用計器の組付方法は、表示パネルと、該表示パネルを収容する表示パネル収納部を有し前記表示パネルの上面に配置されるメータケースと、前記表示パネルが上面に組み付けられるメータ基板と、前記表示パネル側に設けられた接続ケーブルと、前記メータ基板上に設けられたコネクタと、を備える車両用計器の組付方法であって、
前記メータケースは、前記表示パネル収納部に、前記メータ基板に向けて突出形成され、前記接続ケーブルの移動及び振れを規制する接続ケーブル用保護押圧部を備え、該接続ケーブルを前記コネクタに嵌合後、前記メータ基板が前記メータケースに組み付けられることで、前記保護押圧部が前記接続ケーブルの動きを規制することを特徴としている。
【００１５】
前記３）に記載の発明によれば、メータ基板がメータケースに組み付けられることで、接続ケーブル用保護押圧部が接続ケーブルをメータ基板側に押圧して接続ケーブルを保護することができる。これにより、表示パネルの位置合わせをし易くするとともに、接続ケーブルをメータ基板に確実に接続できるようにすることで作業効率を向上させることができる。
また、メータ基板をメータケースに組み付ける際に、接続ケーブルをメータ基板側に押圧支持することで、接続ケーブルに蓄積されているメータ基板から離れる方向への弾性反発力に抗することができるので、メータケースの前方に跳ね上がったり、表示パネル収納部に挟まったり、折れ曲がったりすることなく接続ケーブルを保護することができる。
【発明の効果】
【００１６】
本発明の表示パネル用接続ケーブルの保護構造及び車両用計器の組付方法によれば、接続ケーブルが支持されていないので作業性が良好ではなく、ベゼルのメータケースに対する位置合せがし難く、コネクタの装着スペースに余裕がないのでコネクタの装着を確実に行えない、という問題を解消でき、これにより、表示パネルの位置合わせをし易くするとともに接続ケーブルのコネクタを確実に装着できるようにすることで作業効率を向上させることができるという効果が得られる。
【発明を実施するための最良の形態】
【００１７】
以下、本発明に係る好適な実施の形態例を図面に基づいて詳細に説明する。
図１は本発明に係る表示パネル用接続ケーブルの保護構造の一実施形態が用いられるメータアッシの分解斜視図、図２は図１の表示パネル収納部周りの一部破断外観斜視図、図３は図２に示した表示パネル収納部の断面図である。
【００１８】
図１に示すように、本発明の一実施形態である表示パネル用接続ケーブルの保護構造が用いられるメータアッシ１０は、クリアカバー１１と、クラスターリッド（見返し）１２と、文字板１３と、メータケース１４と、メータ基板１５と、後面カバー１６と、ベゼル１７と、表示パネルであるＬＣＤ１８と、バックライトモジュール１９と、リフレクタ２０と、から構成されている。
【００１９】
クリアカバー１１は、透明な樹脂製であり、クラスターリッド１２の前面を覆ってクラスターリッド１２に組み付けられる。また、クラスターリッド１２は、文字板１３の表示部分の回りを覆ってメータケース１４に組み付けられる。
【００２０】
文字板１３は、例えば、ポリカーボネイト製であり、ＬＣＤ窓部２１を中央に配置して、両側部にスピードメータ２２とタコメータ２３とを配置し、方向指示意匠部を含む各種警告表示意匠部２４を上部に配置した横長形状をしている。また、文字板１３には、各メータに対応する指針２５，２６の指針袴が貫通される指針孔２７，２８が形成されている。
【００２１】
メータケース１４は、例えば、プラスチック製であり、文字板１３の形状に対応した横長の皿形状に形成されている。このメータケース１４は、裏面カバー１６に一体化されて、メータ基板１５を両面から挟み込むようにして収容する。このメータケース１４には、文字板１３のＬＣＤ窓部２１に対応した中央に、四角形の孔形状に形成されたＬＣＤ収納部２９が配置されており、上部に各種警告表示意匠部２４に対応した複数の光路孔３０が配置されている。
【００２２】
そして、メータケース１４は、ＬＣＤ収納部２９にＦＰＣ保護押圧部３１を有する。このＦＰＣ保護押圧部３１は、ＬＣＤ収納部２９の底部からメータ基板１５に向けてＬ字形状に突出された板部材である。
【００２３】
メータ基板１５は、文字板１３と略同形の横長形状をしている。このメータ基板１５上には、ＩＣチップ等の電子部品（不図示）が取り付けられているとともに、メータケース１４の光路孔３０に対応させた複数のＬＥＤ３２が取り付けられている。そして、メータ基板１５には、その中央部に、４個の支持孔３３が形成されている。
【００２４】
後面カバー１６は、メータケース１４と同様の、例えば、プラスチック製の横長の皿形状に形成されている。この後面カバー１６は、メータケース１４に一体化されて、メータ基板１５を両面から挟み込むようにして組み付けられる。
【００２５】
ベゼル１７は、四角形の枠形状に形成されており、中央部に光透過用開口部３４を有し、ＬＣＤ１８の外縁部を覆ってＬＣＤ１８に被着される。
【００２６】
ＬＣＤ１８は、液晶モニタや液晶ディスプレイ等のＬＣＤ（Liquid Crystal Display）であり、メータ基板１５に電気的に接続されてマルチインフォメーションディスプレイとした場合に、エアコン情報、車両情報、オーディオ情報、ＴＶ情報、ナビゲーション情報、ハンドフリー電話情報、等の各種情報を表示する。ＬＣＤ１８は、内部回路がＦＰＣ３５を通じて、端部に組み付けられたコネクタ３６内の不図示の端子に電気的に接続されている。ＬＣＤ１８は、バックライトモジュール１９に一体的に組み付けられて、ベゼル１７とリフレクタ２０とに挟み込まれてから、メータ基板１５に固定されたうえで、メータケース１４のＬＣＤ収納部２９に配置される。
【００２７】
バックライトモジュール１８は、ＢＥＦ（Band Elimination Filter）３７と、拡散板３８と、プリズム３９と、複数のＬＥＤ４０を実装したＬＥＤ基板４１と、が重ね合わされて一体的に結合されたうえで、ＢＥＦ３７上にＬＣＤ１８が組み付けられることでＬＣＤ構造体（図２参照）４１を形成する。
【００２８】
リフレクタ１９は、中央部に反射光用開口部４２を有し、背面の四隅に４個の支持軸４３を有する。リフレクタ１９は、その横方向の長さと、その縦方向の長さと、からなる外寸が、メータケース１４のＬＣＤ収納部２９の内寸よりも僅かに小さくなっている。
【００２９】
図２に示すように、メータケース１４のＬＣＤ収納部２９は、四角形状の開口に形成されており、ＦＰＣ保護押圧部３１は、ＬＣＤ収納部２９における底縁部４４から上縁部４５に向けて延出した第１板部４６と、この第１板部４６の先端部から直角に折曲してメータ基板１５に向けて延出した第２板部４７と、を有する。
【００３０】
また、ベゼル１７は、各側部に、一対ずつの係合孔４８を並べて有する。係合孔４８は、ＬＣＤ構造体４１をリフレクタ２０上に配置したうえでベゼル１７がリフレクタ２０側に押圧されることで、リフレクタ２０の各外側部に一対ずつ形成された係止突起４９がそれぞれ係合されてベゼル１７をリフレクタ２０に一体的に組み付ける。
【００３１】
図３に示すように、ＬＣＤ構造体４１の組付けに際しては、まず、ＬＣＤ構造体４１をリフレクタ２０上に配置し、ＬＣＤ構造体４１上にベゼル１７を配置してベゼル１７をリフレクタ２０に組付けてから、リフレクタ２０に有する支持軸４３をメータ基板１５の支持孔３３に嵌め込むことでＬＣＤ構造体４１をメータ基板１５上に固定する。このとき、ＦＰＣ３５のコネクタ３６は、メータ基板１５上において障害物がなく自由度が大きいスペースＬ２を使ってメータ基板１５上の不図示のコネクタに接続される。
【００３２】
そして、ＦＰＣ３５がメータ基板１５に電気的に接続され、メータ基板１５に固定されたＬＣＤ構造体４１のベゼル１７をＬＣＤ収納部２９に合わせながら、メータ基板１５がメータケース１４に組み付けられる。このとき、ベゼル１７が簡潔な四角形状であり、突片等の突起を有さないために、メータケース１４のＬＣＤ収納部２９に対して位置合せがし易い。これにより、メータケース１４のＦＰＣ保護押圧部３１によってＦＰＣ３５がメータ基板１５側に押圧支持されて、メータケース１４の前方に跳ね上がったり、ＬＣＤ収納部２９とベゼル１７と間に挟まったり、折れ曲がったりすることなくＦＰＣ３５が保護される。
【００３３】
このようなメータアッシ１０は、文字板１３と、指針２５，２６と、クラスターリッド１２と、クリアカバー１１とがメータケース１４の前面に順次組み付けられる。そして、ＬＣＤ構造体４１が固定されたメータ基板１５が、ＬＣＤ構造体４１のベゼル１７をＬＣＤ収納部２９に配置してメータケース１４に組み付けられ、後カバー１６がメータケース１４の後面に組み付けられる。
【００３４】
そして、メータ基板１５に配置されている電源端子に電源が、ＬＥＤ３２に各種警告灯回路が、各指針２５，２６の不図示のムーブメントにムーブメント回路が、ＬＣＤ構造体４１にＬＣＤ表示回路が、それぞれ電気的に接続され、メータケース１４がインストパネルにねじ止めされる。その後、エンジンが始動されることにより、ムーブメント回路を介してタコメータ２３の指針２６が作動を開始し、各種警告灯回路を介してＬＥＤ３２が点灯され、ＬＣＤ表示回路を介してＬＣＤ構造体４１が各種情報を表示する。
【００３５】
上述した表示パネル用接続ケーブルの保護構造の一実施形態によれば、ＦＰＣ保護押圧部３１がメータケース１４に有するために、ベゼル１７の形状が簡潔になることで、メータケース１４に対して位置合せがし易くなる。また、ＬＣＤ構造体４１から延出しているＦＰＣ３５をメータ基板１５に接続する際に障害物がないので、スペースが大きくなり、その結果、ＦＰＣ３５のメータ基板１５への接続を確実に行うことができる。
【００３６】
そして、障害物がなく自由度が大きいスペースを使ってＦＰＣ３５がメータ基板１５に接続されるために、ＦＰＣ３５をメータ基板１５に確実に接続することができる。その後に、メータ基板１５がメータケース１４に組み付けられることで、ＦＰＣ保護押圧部３１がＦＰＣ３５をメータ基板１５側に押圧してＦＰＣ３５を保護することができる。これにより、ＬＣＤ構造体４１の位置合わせをし易くするとともにＦＰＣ３５をメータ基板１５に確実に接続できるようにすることで作業効率を向上させることができる。
【００３７】
また、ＦＰＣ保護押圧部３１がメータケース１４のＬＣＤ収納部２９にメータ基板１５に向けて突出して形成されているために、メータ基板１５をメータケース１４に組み付ける際に、ＦＰＣ３５をメータ基板１５側に押圧支持することで、ＦＰＣ３５に蓄積されているメータ基板１５から離れる方向への弾性反発力に抗することができるので、メータケース１４の前方に跳ね上がったり、ＬＣＤ収納部２９とベゼル１７との間に挟まったり、折れ曲がったりすることなくＦＰＣ３５を保護することができる。
【００３８】
なお、本発明は、前述した実施形態に限定されるものではなく、適宜、変形、改良等が可能である。例えば、ベゼルとリフレクタとの係合手段については、図示したものに限定されずに、各種構造を適用することができる。
【００３９】
また、メータアッシに装備される計器は、図示したものに限定されず、例えば、油圧メータや水温メータを配置しても良い。
【図面の簡単な説明】
【００４０】
【図１】本発明に係る表示パネル用接続ケーブルの保護構造の一実施形態が用いられるメータアッシの分解斜視図である。
【図２】図１の表示パネル収納部周りの一部破断外観斜視図である。
【図３】図２に示した表示パネル収納部の断面図である。
【図４】従来の表示パネル用接続ケーブルの保護構造を説明する斜視図である。
【図５】図４に示した表示パネル収納部の断面図である。
【符号の説明】
【００４１】
１０  メータアッシ
１４  メータケース
１５  メータ基板
１７  ベゼル
１８  ＬＣＤ（表示パネル）
２９  ＬＣＤ収納部（表示パネル収納部）
３１  ＦＰＣ保護押圧部（接続ケーブル用保護押圧部）
３５  ＦＰＣ（接続ケーブル）
【図１】
0004712461.tif 000002
【図２】
0004712461.tif 000003
【図３】
0004712461.tif 000004
【図４】
0004712461.tif 000005
【図５】
0004712461.tif 000006